【事件の表示】
　特願２００１−５１３１５８「ホームネットワーク装置情報構造」拒絶査定不服審判事件〔平成１３年　２月　１日国際公開、ＷＯ０１／０８１５１、平成１５年　２月１２日国内公表、特表２００３−５０５８０５〕について、次のとおり審決する。
【結　論】
　本件審判の請求は、成り立たない。
【理　由】
第１．手続の経緯 
　本願は、２０００年７月２７日（パリ条約による優先権主張外国庁受理１９９９年７月２７日、米国）を国際出願日とする出願であって、平成１８年２月２１日付けで拒絶理由通知がなされ、同年７月１９日付けで手続補正がなされたが、同年８月２５日付けで拒絶査定がなされ、これに対し、同年１２月４日に審判請求がなされるとともに、同年１２月８日付けで手続補正がなされたものである。そして、平成１９年３月２７日付けで審査官から前置報告がなされ、平成２０年１１月２６日付けで当審より審尋がなされ、平成２１年２月２７日付けで回答書が提出されたものである。
　そして、当審において同年８月２０日付けで前記平成１８年１２月８日付けの手続補正が却下されるとともに、最後の拒絶理由通知がなされ、これに対し、平成２１年１１月２５日付けで手続補正がなされ、当審より平成２２年１月１９日付けで最後の拒絶理由通知がなされ、同年４月２６日付けで手続補正がなされたものである。
　
第２．平成２２年４月２６日付けの手続補正についての補正却下の決定 
［補正却下の決定の結論］ 
　平成２２年４月２６日付けの手続補正を却下する。 
　 
［理由］ 
１．補正の内容
　平成２２年４月２６日付けの手続補正（以下「本件補正」という。）の内容は、
　平成２１年１１月２５日付けの手続補正により補正された特許請求の範囲の請求項１の記載
「【請求項１】　ネットワークに接続された装置を制御するためのユーザインタフェースを提供する方法において、
　前記ネットワークには、複数の装置が接続され、
　前記複数の装置の少なくとも一つは、最上位ユーザインタフェース情報生成部を有するとともに、当該複数の装置における他の少なくとも一つの装置に対し、
　（ａ）前記最上位ユーザインタフェース情報生成部を使用して、前記ネットワークに接続された一つ以上の装置から装置情報を含む情報を獲得する段階と、
　（ｂ）前記最上位ユーザインタフェース情報生成部を使用して、少なくとも前記獲得された情報に基づき、最上位ユーザインタフェース情報を生成する段階とを少なくとも行い、
　前記最上位ユーザインタフェース情報は前記ネットワークに接続された前記装置の各々の装置情報に関連付けられたリンク情報を含んでなる参照情報を含んでおり、
　前記参照情報は前記最上位ユーザインタフェース情報から前記ネットワークに接続された前記装置に含まれた情報へのアクセスを提供する少なくとも一つのリンク情報を含み、
　前記装置情報は該当装置を示す少なくとも一つのウェブページファイルを含み、
　前記最上位ユーザインタフェース情報に基づく最上位ユーザインタフェースが前記ウェブページファイルに基づくウェブページを含むように、前記参照情報は前記ウェブページファイルを指す参照情報を含み、
　前記それぞれの装置の装置情報は該当装置とユーザとの相互作用のためのユーザ制御インタフェース情報を含んで、最上位ユーザインタフェース情報のリンクが活性化された時、前記活性化されたリンクを使用して、対応装置とユーザ間のやりとりのための装置ユーザインタフェースを生成し、装置情報を獲得するため、前記対応装置のユーザ制御インタフェース情報がアクセスされることを特徴とするユーザインタフェース提供方法。」（以下、この特許請求の範囲の請求項１を「補正前の請求項１」という。）を、
　
「【請求項１】　ネットワークに接続された装置を制御するためのユーザインタフェースを提供する方法において、
　前記ネットワークには、複数の装置が接続され、
　前記複数の装置の少なくとも一つは、最上位ユーザインタフェース情報生成部を有するとともに、当該複数の装置における他の少なくとも一つの装置に対し、
　（ａ）前記最上位ユーザインタフェース情報生成部を使用して、前記ネットワークに接続された一つ以上の装置から装置情報を含む情報を獲得する段階と、
　（ｂ）前記最上位ユーザインタフェース情報生成部を使用して、少なくとも前記獲得された情報に基づき、最上位ユーザインタフェース情報を生成する段階とを少なくとも行い、
　前記最上位ユーザインタフェース情報は前記装置情報に関連付けられたリンク情報を含んでなる参照情報を含んでおり、
　前記装置情報は、前記装置情報に対応する前記装置の状態を示す少なくとも一つのウェブページファイルを含み、
　前記最上位ユーザインタフェース情報に基づく最上位ユーザインタフェースが前記ウェブページファイルに基づくウェブページを含むように、前記参照情報は前記ウェブページファイルを指す参照情報を含み、
　前記装置情報に対応する前記装置は、前記装置情報に対応する前記装置とユーザとの相互作用のためのユーザ制御インタフェース情報を有しており、最上位ユーザインタフェース情報のリンクが活性化された時、前記活性化されたリンクを使用して、前記装置情報に対応する前記装置とユーザ間のやりとりのための装置ユーザインタフェースを生成するため、前記ユーザ制御インタフェース情報がアクセスされることを特徴とするユーザインタフェース提供方法。」（以下、この特許請求の範囲の請求項１を「補正後の請求項１」という。）
　
　に補正することを含むものである。
　 
２．補正の適否
２−１．新規事項の有無、補正の目的要件 
　本件補正は、願書に最初に添付した明細書、特許請求の範囲又は図面に記載した事項の範囲内においてなされており、特許法第１７条の２第３項の規定に適合する。
　そして、平成２２年４月２６日付けの手続補正により補正された特許請求の範囲の請求項１〜２１は、それぞれ、平成２１年１１月２５日付けの手続補正により補正された特許請求の範囲の請求項１〜２１に対応するものである。
　そして、本件補正の補正前の請求項１についてなされた補正は、平成１８年法律第５５号改正附則第３条第１項によりなお従前の例とされる同法による改正前の特許法第１７条の２第４項第２号の特許請求の範囲の減縮（請求項に記載した発明を特定するために必要な事項を限定するものであって、その補正前の当該請求項に記載された発明とその補正後の請求項に記載された発明の産業上の利用分野及び解決しようとする課題が同一であるもの）及び同特許法第１７条の２第４項第４号の明りょうでない記載の釈明（拒絶理由通知に係る拒絶の理由に示す事項についてするものに限る。）を目的とするものであるから、本件補正は、特許法第１７条の２第４項の規定に適合する。 
　
２−２．独立特許要件  
　補正前の請求項１についてなされた補正は、特許法１７条の２第４項第２号の特許請求の範囲の減縮を目的とすることを含むことから、補正後の請求項１に記載されている事項により特定される発明（以下「補正後の発明」という。）が、特許出願の際独立して特許を受けることができるものであるか、（平成１８年法律第５５号改正附則第３条第１項によりなお従前の例によるとされる同法による改正前の特許法第１７条の２第５項において準用する同法第１２６条第５項の規定に適合するか）以下に検討する。 
　
（１）補正後の発明
　前記補正前の請求項１についてなされた補正により、補正後の発明は、前記「１．補正の内容」の「補正後の請求項１」に記載された以下のものと認められる。
　
　「ネットワークに接続された装置を制御するためのユーザインタフェースを提供する方法において、
　前記ネットワークには、複数の装置が接続され、
　前記複数の装置の少なくとも一つは、最上位ユーザインタフェース情報生成部を有するとともに、当該複数の装置における他の少なくとも一つの装置に対し、
　（ａ）前記最上位ユーザインタフェース情報生成部を使用して、前記ネットワークに接続された一つ以上の装置から装置情報を含む情報を獲得する段階と、
　（ｂ）前記最上位ユーザインタフェース情報生成部を使用して、少なくとも前記獲得された情報に基づき、最上位ユーザインタフェース情報を生成する段階とを少なくとも行い、
　前記最上位ユーザインタフェース情報は前記装置情報に関連付けられたリンク情報を含んでなる参照情報を含んでおり、
　前記装置情報は、前記装置情報に対応する前記装置の状態を示す少なくとも一つのウェブページファイルを含み、
　前記最上位ユーザインタフェース情報に基づく最上位ユーザインタフェースが前記ウェブページファイルに基づくウェブページを含むように、前記参照情報は前記ウェブページファイルを指す参照情報を含み、
　前記装置情報に対応する前記装置は、前記装置情報に対応する前記装置とユーザとの相互作用のためのユーザ制御インタフェース情報を有しており、最上位ユーザインタフェース情報のリンクが活性化された時、前記活性化されたリンクを使用して、前記装置情報に対応する前記装置とユーザ間のやりとりのための装置ユーザインタフェースを生成するため、前記ユーザ制御インタフェース情報がアクセスされることを特徴とするユーザインタフェース提供方法。」
　
（２）引用文献 
　当審より通知された拒絶理由に引用された、国際公開第９８／５９４７８号パンフレット（以下、「引用文献１」という。）には、図面とともに、以下の事項が記載されている。
　
　（ア）「In an exemplary embodiment of the present invention, a browser based home network uses Internet technology to control and command home devices that are connected to a home network. Each home device contains interface data(e.g. HTML, XML, JAVA, JAVASCRIPT, GIF, JPEG, graphics files, or any other format useful for the intended purpose) that provides an interface for the commanding and controlling of the home device over the home network. In certain embodiments, each home device contains one or more Hypertext Markup Language(HTML) pages that provide for the commanding and controlling of the home device. Using the browser technology, the home network employs Internet standards to render the HTML pages in order to provide users with a plurality of graphical user interfaces(GUIs) for commanding and controlling each home devices. In one embodiment, the home network is configured as an intranet. 
　FIG.1 is a block diagam of a home network 100 constructed in accordance with one embodiment of the present invention. As depicted in FIG.1, a 1394 serial bus 114 electronically connects multiple home devices on the home network 100. In this example, the 1394 serial bus 114 provides the physical layer (medium) for sending and receiving data between the various connected home devices.（本発明の典型的な実施例において、ブラウザベースのホームネットワークはホームネットワークに接続された家電機器を制御及び命令するためにインターネット技術を使用する。各家電機器は、ホームネットワークを介して家電機器に命令及び制御するためのインタフェースを提供するインターフェースデータ（例えば、HTML、XML、JAVA、JAVASCRIPT、GIF、JPEG、グラフィックファイルまたは意図した目的に対して有用な他の何れかのフォーマット）を含んでいる。特定の実施例において、各家電機器はその家電機器を命令及び制御するために提供する１つ以上のハイパーテキストマークアップランゲージ（HTML）ページを含んでいる。各家電機器に対して命令し制御するための多数のグラフィカル・ユーザ・インタフェース（GUIs）を使用者に提供するために、ブラウザ技術を使用して、ホームネットワークはHTMLページをレンダー（render）するインターネット標準を用いる。一実施例において、ホームネットワークはイントラネットとして形成される。 
 　図１は本発明の一実施例によって構成されたホームネットワーク１００のブロック図である。図１に示されたように、１３９４シリアルバス１１４はホームネットワーク１００上の多数の家電機器を電子的に接続する。この例において、１３９４シリアルバス１１４は様々な接続された家電機器の間でデータを送受信するための物理層(媒体;medium)を提供する。）（括弧書きは当審による翻訳文。以下、同じ。）」（明細書第５頁第１３行〜第２８行） 
 　 
　（イ）「As depicted in FIG.1, DTV 102, DVCR 110, DVD 108, DSS-NIU 104 and security system 120 represent home devices that are currently connected to the home network 100. A client-server relationship exists among the attached devices, with the DTV 102 typically behaving as the client and home devices DVCR 110, DVD 108, DSS-NIU 104 and security system 120 behaving as servers. 
 　As previously mentioned, each home device is associated with one or more Hypertext Markup Language(HTML) files. The HTML files define the control and command functions associated with a particular home device. Each HTML file may also contain embedded references to other HTML files. The browser based DTV 102 (acting as a client), receives and interprets the HTML files associated with the home devices(acting as servers) and graphically displays the respective control and command information on its viewable display. 
 　By conforming to the Hypertext Markup Language(HTML) and Hypertext Transfer Protocol(HTTP) Internet standards, each home device sends its custom GUI to the browser based DTV 102. The browser based DTV 102 receives the HTML files from the home devices over the home network 100 using the HTTP protocol. Each HTML file contains specific control and command information for a respective home device. The HTML files enable the browser based DTV 102 to graphically display control and command information to a user for a particular home device. Therefore, because each home device supplies its own GUI through its own HTML files to the browser based DTV 102, the browser based DTV 102 can provide a command and control interface for a home device without having to know any specific details about the particular device. （図１に示されるように、DTV１０２、DVCR１１０、DVD１０８、DSS-NIU１０４及びセキュリティシステム１２０は現在ホームネットワーク１００に接続されている家電機器を示す。接続された機器間にはクライアント−サーバ関係が存在し、典型的には、DTV１０２はクライアントとして動作し、家電機器であるDVCR１１０、DVD１０８、DSS-NIU１０４及びセキュリティシステム１２０はサーバとして動作する。 
　前述したように、各家電機器は１つ以上のハイパーテキストマークアップランゲージ（HTML）ファイルと関連されている。HTMLファイルは特定の家電機器と関連した制御及び命令機能を定義する。各HTMLファイルは他のHTMLファイルに対する埋め込まれた参照をさらに含んでもよい。ブラウザ・ベースのDTV１０２（クライアントとして動作）は、家電機器（サーバとして動作）と関連したHTMLファイルを受信及び解読し、それぞれの制御及び命令情報を可視的なディスプレー上に図式的に表示する。 
　ハイパーテキストマークアップランゲージ（HTML）とハイパーテキストトランスファープロトコル（HTTP）インターネット標準に従うことによって、各家電機器はそのカスタムGUIをブラウザ・ベースのDTV１０２に送る。ブラウザ・ベースのDTV１０２は、HTTPプロトコルを使用するホームネットワーク１００を介して、家電機器からHTMLファイルを受信する。各HTMLファイルはそれぞれの家電機器に対する特有の制御及び命令情報を含む。HTMLファイルは、ブラウザ・ベースのDTV１０２が、特定の家電機器のために制御及び命令情報を図式的に利用者に表示することを可能にする。したがって、各家電機器が自らのGUIを自体のHTMLファイルを介してブラウザ・ベースのDTV１０２に供給するために、ブラウザ・ベースのDTV１０２は、特定の家電機器に対する如何なる特有の詳細事項を知らなくても、家電機器に対する命令及び制御インタフェースを提供しうる。）」（明細書第８頁第２４行〜第９頁第１２行） 
 　 
　（ウ）「As previously stated, each home device connected to the home network has one or more associated HTML files. The HTML files for a respective home device define the control and command functions for that particular home device. Each HTML file may also contain embedded references to other related HTML files. A device connected to the home network that has a viewable display(e.g.,screen) and employs the browser technology may receive and interpret the HTML files associated with the home devices connected to the home network, and graphically display the information contained therein using a GUI on its screen.（前述したように、ホームネットワークに接続された各家電機器は１つ以上の関連付けられたHTMLファイルを具備する。それぞれの家電機器に対するHTMLファイルは、その特定の家電機器に対する制御及び命令機能を定義する。また、各HTMLファイルは他の関係のあるHTMLファイルに対する埋め込まれた参照を含んでもよい。可視的なディスプレー(例えばスクリーン)を備えてブラウザ技術を採用するホームネットワークに接続された機器は、ホームネットワークに接続された家電機器と関連付けられたHTMLファイルを受信及び解釈し、それに含まれた情報をGUIを使用して自体のスクリーン上に図式的にディスプレーするであろう。）」（明細書第１０頁第２行〜第８行） 
 　 
　（エ）「Each home device connected to a home network also contains an ICON image file. An ICON image file for a respective home device is a file containing an image that represents the particular type of home device; e.g., a DTV or a DVCR. In certain embodiments, the ICON image file contains an image of the device or a symbol that represents the type of device. A manufacturer model number may be included at the bottom of the image in the ICON image file, to assist in identification of the home device on the home network.
　In certain embodiments, several variations of the ICON image file reside on a respective home device, with each ICON variation representing a particular state of the home device. For example, for a DVCR, the ICON image files may contain images of a DVCR playing, rewriting, media inserted, media absent, etc.
　To represent the various device state images, the manufacturer may use a variety of symbols, colors, and animation. The home device is responsible for determining which ICON image version is to be displayed to the user, based on the device's representative state at any particular time. This allows the ICON image file for a respective home device to provide feedback to the user as to the particular state of the home device.
　In certain embodiments, an ICON image file for a respective home device is of a standard size, e.g., 120 x 90 pixels. A standard size ensures that the device images will have a neat, uniform look when depicted in the GUI displayed to the user. In one embodiment, in order for a session manager to properly locate the ICON image file of a respective home device to be displayed, all home devices connected to the home network use a standard ICON image filename for the respective ICON image file to be displayed. Each home device may name its respective ICON image file to be displayed ICON.GIF.
　As previously stated, each home device connected to the home network has one or more HTML files associated with it. One of these HTML files is a home, or base page, file for the particular home device. To aid in the access of a particular home device's home page, in certain embodiments, each home device uses a standard home page filename. In one embodiment, each home device names its respective home page file USER.HTML.（ホームネットワークに連結された各家電機器はアイコンイメージファイルをさらに含む。各家電機器に対するアイコンイメージファイルはDTVまたはDCVR等の家電機器の特定の種類を示すイメージを含むファイルである。また、アイコンイメージファイルは機器イメージや機器の種類を示すシンボルを含む。ホームネットワーク上の家電機器の識別を容易にするために製造者モデル番号がアイコンイメージファイル内イメージの最下部に含まれることができる。
  また、アイコンイメージファイルの多様な変形がそれぞれの家電機器上に存在し、この際各アイコン変形は家電機器の特定状態を示す。例えば、DVCRにおいて、アイコンイメージファイルはDCVR再生、巻戻し、媒体挿入、媒体無し等のイメージを含むことができる。多様な機器状態イメージを表現するために、製造者は多様なシンボル、カラー及び動画像を利用しうる。家電機器は如何なる特定の時間でも機器の代表的な状態に応じて、如何なるアイコンイメージバージョンが使用者にディスプレーされるかを決める責任がある。これは各家電機器に対するアイコンイメージファイルに応じて使用者にその家電機器の特定状態に関してフィードバックを提供可能にする。また、それぞれの家電機器のためのアイコンイメージファイルは１２０ｘ９０画素と同一な標準サイズとなる。標準サイズはその機器が使用者にディスプレーされたGUI中に描写される時簡単で一貫した形を有することを保障する。一実施例において、セッション・マネージャがディスプレーされるそれぞれの家電機器のアイコンイメージファイルを適正に位置させるために、ホームネットワークに連結された全ての家電機器はディスプレーされるそれぞれのアイコンイメージファイルに対する標準アイコンイメージファイル名を使用する。各家電機器はディスプレーされるそれぞれのアイコンイメージファイルをICON．GIFと名付ける。
　前述したように、ホームネットワークに接続された各家電機器はそれと関連付けられた１つ以上のHTMLファイルを持つ。これらのHTMLファイルのうちの１つは、その特定の家電機器のためのホームまたはベースページファイルである。特定の家電機器のホームページのアクセスを助けるため、特定の実施例では、各家電機器は標準的なホームページファイル名を使用する。一実施例では、各家電機器はそれぞれのホームページファイルをUSER.HTMLと名付けている。）」（明細書第１３頁第１５行〜第１４頁第８行） 
 　 
　（オ）「In one embodiment of the invention, an auto-tree builder uses the contents of the device list file of a home network in order to generate a device link page. The device link page is displayed to the user on the screen of a browser based home device. The device link page contains a home device button for each home device identified in the device list file. Each home device button in the device link page is associated with a hypertext link(hyperlink) to the top-level page of the respective home device. If a user selects a particular home device button contained in the device link page, the respective device's home page is subsequently displayed to the user on the browser based home device's screen.（本発明の一実施例において、オート・ツリー・ビルダは機器リンクページを生成するために、ホームネットワークの機器リストファイルの内容を用いる。機器リンクページはブラウザベースの家電機器のスクリーン上で使用者に表示される。機器リンクページは機器リストファイルにおいて識別された各家電機器に対する家電機器ボタンを含む。機器リンクページ内の各家電機器ボタンは、それぞれの家電機器のトップ・レベル・ホームページへのハイパーテキストリンク（ハイパーリンク）と関連付けられている。使用者が機器リンクページに含まれている特定の家電機器ボタンを選択すれば、それに続いてそれぞれの機器のホームページがブラウザベースの家電機器のスクリーン上で使用者に表示される。）」（明細書第１７頁第１９行〜第２６行） 
 　 
　（カ）「In certain embodiments, in generating the device link page, the auto-tree builder uses the device list file to create a device HTML file that contains a home device button for each home device that is currently connected to the home network. Using the IP addresses contained in the device list file, the auto-tree builder accesses each home device to obtain the Properties file information and the URL of the top-level page(i.e. USER.HTML file) associated with each home device. Using the respective URL information, the auto-tree builder converts each home device button in the device HTML file to a hyper-text link to the top-level page of the respective home device. This device HTML file is then used as the device link page. 
　For example, FIG.5A is a device link page 402 according to one embodiment ofthe invention. As depicted, device link page 402 contains home device buttons 406 for each home device connected to the home network 100. Each home device button 406 is associated with a hypertext link to the top-level home page of the corresponding home device. If a user selects a particular home device button 406 contained in the device link page 402, the respective device's home page is subsequently displayed to the user. 
　In certain embodiments of the invention, the auto-tree builder also retrieves the ICON.GIF image file that is stored in each home device. The auto-tree builder then uses the ICON.GIF images for displaying each of the corresponding home device buttons. 
　In addition to the ICON images, in certain embodiments, the auto-tree builder also obtains the LOGO.GIF image file for each home device. The auto-tree builder associates each LOGO.GIF image with a hypertext link to the home page of the device's manufacturer. The LOGO image is then included in the device HTML file. For example, FIG.6 is a device link page 502 according to one embodiment of the invention. As depicted, the device link page 502 contains home device buttons 504 and manufacturer device buttons 506. The home device buttons 504 are represented by the ICON.GIF images of each corresponding device. The manufacturer device buttons 506 are represented by the LOGO.GIF images of the respective manufacturer of the corresponding home device.（特定の実施例では、機器リンクページを生成する際に、現在ホームネットワークに接続されている各家電機器に対する家電機器ボタンを含んだ機器HTMLファイルを生成するために、オート・ツリー・ビルダは機器リストファイルを使用する。機器リストファイルに含まれているIPアドレスを用いて、オート・ツリー・ビルダは、各家電機器に関連付けられたプロパティファイル情報とトップ・レベル・ホームページ（すなわちUSER.HTMLファイル）のURLを得るために、各家電機器にアクセスする。それぞれのURL情報を用いて、オート・ツリー・ビルダは、機器HTMLファイル内の各家電機器ボタンを、それぞれの家電機器のトップ・レベル・ホームページへのハイパーテキストリンクに変換する。それから、この機器HTMLファイルは機器リンクページとして使われる。 
　例えば、図５Ａは本発明の一実施例に係る機器リンクページ４０２である。図示されているように、機器リンクページ４０２は、ホームネットワーク１００に接続されている各家電機器に対する家電機器ボタン４０６を含んでいる。各家電機器ボタン４０６は、対応する家電機器のトップ・レベル・ホームページへのハイパーテキストリンクと関連付けられている。もし、使用者が機器リンクページ４０２に含まれている特定の家電機器ボタン４０６を選択すれば、それに続いて対応する機器のホームページが使用者に表示される。 
　また、本発明の特定の実施例においては、オート・ツリー・ビルダは各家電機器に格納されているICON.GIFイメージファイルを引き出す。それから、オート・ツリー・ビルダは、対応する家電機器ボタンの各々を表示するために、それらのICON.GIFイメージを使用する。 
　ICONイメージに加えて、特定の実施例では、オート・ツリー・ビルダは、各家電機器に対するLOGO.GIFイメージファイルも得る。オート・ツリー・ビルダは、各々のLOGO.GIFイメージを、機器製造者のホームページへのハイパーテキストリンクと関連付ける。そして、LOGOイメージは、機器HTMLファイルの中に含まれる。例えば、図６は本発明の一実施例に係る機器リンクページ５０２である。図示されているように、機器リンクページ５０２は、家電機器ボタン５０４及び製造者機器ボタン５０６を含む。家電機器ボタン５０４は、各々の対応する機器のICON.GIFイメージによって表現されている。製造者機器ボタン５０６は、対応する家電機器のそれぞれの製造者のLOGO.GIFイメージによって表現されている。）」（明細書第１８頁第３行〜第２９行） 
 　 
　（キ）「FIG.8 illustrates a session page 702 according to one embodiment of the invention. In this example, the session page 702 contains frames 704, 706 and 708. As depicted, frame 704 contains a device link page 710 that contains device buttons 712 for each home device currently connected to the home network. 
　When the session manager is activated, it causes the auto-tree builder process to generate a new device link page.（図８は本発明の一実施例に係るセッションページ７０２を示す。この例において、セッションページ７０２はフレーム７０４、７０６、７０８を含む。図示されているように、現在ホームネットワークに接続されている各家電機器に対する機器ボタン７１２を含んでいる機器リンクページ７１０を、フレーム７０４は含んでいる。 
　セッション・マネージャが動作させられる時、それはオート・ツリー・ビルダ・プロセスに新しい機器リンクページを生成させる。）」（明細書第２０頁第１５行〜第２０行）
 　 
　（ク）「In certain embodiments of the invention, the auto-tree builder process functions are contained within the session manager. Thus, in one embodiment of the invention, the session manager generates the device link page by performing the previously described auto-tree builder functions.（本発明の特定の実施例において、オート・ツリー・ビルダ・プロセス機能は、セッション・マネージャ内に含まれている。従って、本発明の一実施例において、セッション・マネージャは前述したオート・ツリー・ビルダ機能を実行することによって、機器リンクページを生成する。）」（明細書第２０頁第３０行〜第３３行） 
 　 
　（ケ）「To enable a user to initiate an available service, when the user selects a particular home device button 712 from the device link page 710, the session manger causes the top-level home page of the selected home device to be displayed within a frame contained in session page 702. For purposes of explanation, it shall be assumed that a user selects the device button 712 corresponding to Dad's TV. 
　As shown in FIG.10, when the user selects the device button 712 for Dad's TV, the session manager displays the top-level home page 804 for the respective home device in frame 706 of the session page 802.　・・・（中略）・・・
　When the user selects a home device button 712, the session manager obtains the particular capabilities of the selected home device. The particular capabilities of a home device includes a list of standard named functions that the respective home device is capable of performing, e.g., the capabilities of a DVCR generally include accepting video and displaying video.
　In certain embodiments, the session manager obtains the particular capabilities of a selected home device by accessing a standard named file on the respective home device.（使用者に利用可能なサービスを初期化せしめるために、使用者が機器リンクページ７１０から特定の家電機器ボタン７１２を選択する時、セッション・マネージャは、選択された家電機器のトップ・レベルホームページがセッションページ７０２の中に含まれるフレーム内で表示されるようにする。説明のため、使用者が“父親のTV”に対応する機器ボタン７１２を選択すると仮定する。 
　図１０に示されるように、使用者が父親のTVに対する機器ボタン７１２を選択すると、セッション・マネージャは、セッションページ８０２のフレーム７０６内に、対応する家電機器に対するトップ・レベルホームページ８０４を表示する。・・・（中略）・・・
　使用者が家電機器のボタン７１２を選択する時、セッション・マネージャは選択された家電機器の特定の機能を獲得する。家電機器の特定の機能は、例えばDVCRの機能が通常“ビデオを受入れる”及び“ビデオをディスプレーする”を含むように、該当家電機器が行える標準名付けられた動作のリストを含む。
  他の実施例において、セッション・マネージャは各家電機器上の標準名付けられたファイルをアクセスすることで選択された家電機器の特定機能を獲得する。）」（明細書第２１頁第７行〜第２９行） 
 　 
　（コ）「Any home device connected to a home network that can act as a client, i.e., which has the capability to display HTML files via is respective display unit(e.g., a DTV or a PC), may be designated a session server. A session server is a device that contains a session manager, a display unit(i.e., screen), its own HTML page files, including a top-level, home HTML page file, and a browser.（クライアントとして動作可能な、即ちそれぞれのディスプレーユニットを介してHTMLファイルをディスプレーする能力を有する、ホームネットワークに接続された家電機器(例えば、DTVまたはPC)は、セッションサーバとして指定されうる。セッションサーバは、セッション・マネージャと、ディスプレーユニット(即ち、スクリーン)と、トップ・レベル・ホームHTMLページファイルを含む独自のHTMLページファイルと、ブラウザとを含んでいる機器である。）」（明細書第２５頁第１７〜第２１行） 
 　 
　（イ）における記載「図１に示されるように、DTV１０２、DVCR１１０、DVD１０８、DSS-NIU１０４及びセキュリティシステム１２０は現在ホームネットワーク１００に接続されている家電機器を示す。」からすると、引用文献１には、ＤＴＶ、ＤＶＣＲなどの複数の家電機器が接続されているホームネットワークに関する発明が記載されていると解される。 
　（ア）における記載「各家電機器は、ホームネットワークを介して家電機器に命令及び制御するためのインタフェースを提供するインターフェースデータ（例えば、HTML、XML、JAVA、JAVASCRIPT、GIF、JPEG、グラフィックファイルまたは意図した目的に対して有用な他の何れかのフォーマット）を含んでいる。特定の実施例において、各家電機器はその家電機器を命令及び制御するために提供する１つ以上のハイパーテキストマークアップランゲージ（HTML）ページを含んでいる。各家電機器に対して命令し制御するための多数のグラフィカル・ユーザ・インタフェース（GUIs）を使用者に提供するために、ブラウザ技術を使用して、ホームネットワークはHTMLページを翻訳（render）するインターネット標準を用いる。」及び（イ）における記載「ブラウザ・ベースのDTV１０２は、HTTPプロトコルを使用するホームネットワーク１００を介して、家電機器からHTMLファイルを受信する。各HTMLファイルはそれぞれの家電機器に対する特有の制御及び命令情報を含む。HTMLファイルは、ブラウザ・ベースのDTV１０２が、特定の家電機器のために制御及び命令情報を図式的に利用者に表示することを可能にする。」からすると、引用文献１には、ホームネットワークに接続された家電機器を制御するためのグラフィカル・ユーザ・インタフェース（ＧＵＩ）の提供に関する発明が記載されていると解される。
　（コ）に、ＤＴＶがセッション・マネージャを有する旨が記載され、（ク）に、前記セッション・マネージャがオート・ツリー・ビルダ・プロセス機能を含む旨が記載され、（キ）に、前記セッション・マネージャがオート・ツリー・ビルダ・プロセスに新しい機器リンクページを生成させる旨が記載されていることからすると、前記ＤＴＶは、機器リンクページを生成するオート・ツリー・ビルダ・プロセスを有するものと解される。
　そして、（カ）における記載からすると、前記ＤＴＶは、オート・ツリー・ビルダ・プロセスを使用して、ホームネットワークに接続された各家電機器から、各家電機器に関連付けられたプロパティファイル情報とトップ・レベル・ホームページのＵＲＬと家電機器ボタンに対応するICON.GIFイメージ（以下、「家電機器情報」という）とを得る段階と、前記オート・ツリー・ビルダ・プロセスを使用して、少なくとも前記得られた情報に基づき、機器リンクページを生成する段階とを少なくとも行うものと解される。
　ここで、（カ）における記載「機器HTMLファイルは機器リンクページとして使われる。」及び「機器リンクページ４０２は、ホームネットワーク１００に接続されている各家電機器に対する家電機器ボタン４０６を含んでいる。各家電機器ボタン４０６は、対応する家電機器のトップ・レベル・ホームページへのハイパーテキストリンクと関連付けられている。」からすると、前記機器リンクページは、ホームネットワークに接続されている各家電機器のトップ・レベル・ホームページのＵＲＬに関連付けられたリンク情報を含むハイパーテキスト情報を含むＨＴＭＬファイルである。
 （エ）における記載「ホームネットワークに連結された各家電機器はアイコンイメージファイルをさらに含む。各家電機器に対するアイコンイメージファイルはDTVまたはDCVR等の家電機器の特定の種類を示すイメージを含むファイルである。…アイコンイメージファイルの多様な変形がそれぞれの家電機器上に存在し、この際各アイコン変形は家電機器の特定状態を示す。例えば、DVCRにおいて、アイコンイメージファイルはDCVR再生、巻戻し、媒体挿入、媒体無し等のイメージを含むことができる。多様な機器状態イメージを表現するために、製造者は多様なシンボル、カラー及び動画像を利用しうる。家電機器は如何なる特定の時間でも機器の代表的な状態に応じて、如何なるアイコンイメージバージョンが使用者にディスプレーされるかを決める責任がある。これは各家電機器に対するアイコンイメージファイルに応じて使用者にその家電機器の特定状態に関してフィードバックを提供可能にする。」からすると、前記家電機器情報は、前記家電機器情報に対応する前記家電機器の状態を示す少なくとも一つのICON.GIFイメージファイルを含むと解される。
　（カ）における記載「オート・ツリー・ビルダは、機器HTMLファイル内の各家電機器ボタンを、それぞれの家電機器のトップ・レベル・ホームページへのハイパーテキストリンクに変換する。それから、この機器HTMLファイルは機器リンクページとして使われる。…機器リンクページ４０２は、ホームネットワーク１００に接続されている各家電機器に対する家電機器ボタン４０６を含んでいる。各家電機器ボタン４０６は、対応する家電機器のトップ・レベル・ホームページへのハイパーテキストリンクと関連付けられている。…オート・ツリー・ビルダは、対応する家電機器ボタンの各々を表示するために、それらのICON.GIFイメージを使用する。」からすると、前記機器リンクページに基づいて表示されるＧＵＩ（以下、「第１のＧＵＩ」という）が、前記ICON.GIFイメージファイルに基づく前記家電機器ボタンを含むように、前記ハイパーテキスト情報は、前記ICON.GIFイメージファイルを指すハイパーテキスト情報を含むと解される。
　（ウ）における記載「ホームネットワークに接続された各家電機器は１つ以上の関連付けられたHTMLファイルを具備する。それぞれの家電機器に対するHTMLファイルは、その特定の家電機器に対する制御及び命令機能を定義する。また、各HTMLファイルは他の関係のあるHTMLファイルに対する埋め込まれた参照を含んでもよい。」からすると、前記家電機器情報に対応する前記家電機器は、前記家電機器情報に対応する前記家電機器に対して利用者が命令及び制御するための一つ以上のＨＴＭＬファイルを有していると解される。
　
　（ウ）における記載「それぞれの家電機器に対するHTMLファイルは、その特定の家電機器に対する制御及び命令機能を定義する。また、各HTMLファイルは他の関係のあるHTMLファイルに対する埋め込まれた参照を含んでもよい。可視的なディスプレー(例えばスクリーン)を備えてブラウザ技術を採用するホームネットワークに接続された機器は、ホームネットワークに接続された家電機器と関連付けられたHTMLファイルを受信及び解釈し、それに含まれた情報をGUIを使用して自体のスクリーン上に図式的にディスプレーするであろう」及び（エ）における記載「各家電機器はそれと関連付けられた１つ以上のHTMLファイルを持つ。これらのHTMLファイルのうちの１つは、その特定の家電機器のためのホームまたはベースページファイルである。」からすると、前記家電機器情報に対応する前記家電機器の有するトップ・レベル・ホームページには、前記家電機器の有する他のHTMLファイルに対する参照情報が埋め込まれており、前記他のHTMLファイルを読み取るために、前記トップ・レベル・ホームページに埋め込まれた前記参照情報が用いられるものと解される。
　そして、（オ）における記載「機器リンクページは機器リストファイルにおいて識別された各家電機器に対する家電機器ボタンを含む。機器リンクページ内の各家電機器ボタンは、それぞれの家電機器のトップ・レベル・ホームページへのハイパーテキストリンク（ハイパーリンク）と関連付けられている。使用者が機器リンクページに含まれている特定の家電機器ボタンを選択すれば、それに続いてそれぞれの機器のホームページがブラウザベースの家電機器のスクリーン上で使用者に表示される」、及び（ケ）における記載「使用者が家電機器のボタン７１２を選択する時、セッション・マネージャは選択された家電機器の特定の機能を獲得する。家電機器の特定の機能は、例えばDVCRの機能が通常“ビデオを受入れる”及び“ビデオをディスプレーする”を含むように、該当家電機器が行える標準名付けられた動作のリストを含む。…セッション・マネージャは各家電機器上の標準名付けられたファイルをアクセスすることで選択された家電機器の特定機能を獲得する。」からすると、機器リンクページの、各家電機器のトップ・レベル・ホームページのＵＲＬに関連付けられたハイパーテキストリンクが選択された時、前記選択されたハイパーテキストリンクを使用して、前記家電機器情報に対応する前記家電機器に対して利用者が命令及び制御するためのＧＵＩ（以下、「第２のＧＵＩ」という）を生成するため、前記トップ・レベル・ホームページを含む一つ以上のＨＴＭＬファイルがアクセスされると解される。
 
　したがって、引用文献１には次の発明（以下、「引用発明」という。）が記載されている。 
 　 
　ホームネットワークに接続された家電機器を制御するためのグラフィカル・ユーザ・インタフェース（ＧＵＩ）を提供する方法において、 
　前記ホームネットワークにはＤＴＶ、ＤＶＣＲなどの複数の家電機器が接続され、
　前記ＤＴＶは、機器リンクページを生成するオート・ツリー・ビルダ・プロセスを有するとともに、前記複数の家電機器に対し、
　（ａ）前記オート・ツリー・ビルダ・プロセスを使用して、前記ホームネットワークに接続された各家電機器から、各家電機器に関連付けられたプロパティファイル情報とトップ・レベル・ホームページのＵＲＬと家電機器ボタンに対応するICON.GIFイメージ（以下、「家電機器情報」という）とを得る段階と、
　（ｂ）前記オート・ツリー・ビルダ・プロセスを使用して、少なくとも前記得られた情報に基づき、機器リンクページを生成する段階とを少なくとも行い、
　前記機器リンクページは、ホームネットワークに接続されている各家電機器のトップ・レベル・ホームページのＵＲＬに関連付けられたリンク情報を含むハイパーテキスト情報を含んでおり、
　前記家電機器情報は、前記家電機器情報に対応する前記家電機器の状態を示す少なくとも一つのICON.GIFイメージファイルを含み、
　前記機器リンクページに基づいて表示される第１のＧＵＩが、前記ICON.GIFイメージファイルに基づく前記家電機器ボタンを含むように、前記ハイパーテキスト情報は、前記ICON.GIFイメージファイルを指すハイパーテキスト情報を含み、
　前記家電機器情報に対応する前記家電機器は、前記家電機器情報に対応する前記家電機器に対して利用者が命令及び制御するための一つ以上のＨＴＭＬファイルを有しており、機器リンクページの、各家電機器のトップ・レベル・ホームページのＵＲＬに関連付けられたリンク情報が選択された時、前記選択されたリンク情報を使用して、前記家電機器情報に対応する前記家電機器に対して利用者が命令及び制御するための第２のＧＵＩを生成するため、前記一つ以上のＨＴＭＬファイルがアクセスされることを特徴とする、グラフィカル・ユーザ・インタフェースを提供する方法。
　
（３）対比
　引用発明の「ホームネットワーク」、「家電機器」、及び「グラフィカル・ユーザ・インタフェース（ＧＵＩ）」は、それぞれ補正後の発明の「ネットワーク」、「装置」、及び「ユーザインタフェース」に相当する。 
　引用発明の「機器リンクページ」及び「オート・ツリー・ビルダ・プロセス」は、それぞれ補正後の発明の「最上位ユーザインタフェース情報」及び「最上位ユーザインタフェース情報生成部」に相当する。
　引用発明の「ＤＴＶ」は、補正後の発明の「前記複数の装置の少なくとも一つ」に相当し、引用発明の「ＤＴＶは、機器リンクページを生成するオート・ツリー・ビルダ・プロセスを有するとともに、前記複数の家電機器に対し」は、補正後の発明の「前記複数の装置の少なくとも一つは、最上位ユーザインタフェース情報生成部を有するとともに、当該複数の装置における他の少なくとも一つの装置に対し」に相当する。 
　引用発明の「家電機器に関連付けられたプロパティファイル情報とトップ・レベル・ホームページのＵＲＬと家電機器ボタンに対応するICON.GIFイメージ（以下、「家電機器情報」という）」は、補正後の発明の「装置情報を含む情報」に相当し、引用発明の「（ａ）前記オート・ツリー・ビルダ・プロセスを使用して、前記ホームネットワークに接続された各家電機器から、各家電機器に関連付けられたプロパティファイル情報とトップ・レベル・ホームページのＵＲＬと家電機器ボタンに対応するICON.GIFイメージ（以下、「家電機器情報」という）とを得る段階」は、補正後の発明の「（ａ）前記最上位ユーザインタフェース情報生成部を使用して、前記ネットワークに接続された一つ以上の装置から装置情報を含む情報を獲得する段階」に相当する。
 　引用発明の「（ｂ）前記オート・ツリー・ビルダ・プロセスを使用して、少なくとも前記得られた情報に基づき、機器リンクページを生成する段階」が、補正後の発明の「（ｂ）前記最上位ユーザインタフェース情報生成部を使用して、少なくとも前記獲得された情報に基づき、最上位ユーザインタフェース情報を生成する段階」に相当する。
　引用発明の「ハイパーテキスト情報」は、補正後の発明の「参照情報」に相当し、引用発明の「前記機器リンクページは、ホームネットワークに接続されている各家電機器のトップ・レベル・ホームページのＵＲＬに関連付けられたリンク情報を含むハイパーテキスト情報を含んでおり」は、補正後の発明の「前記最上位ユーザインタフェース情報は前記装置情報に関連付けられたリンク情報を含んでなる参照情報を含んでおり、」に相当する。
　
　引用発明の「家電機器の状態を示す少なくとも一つのICON.GIFイメージファイル」と、補正後の発明の「装置の状態を示す少なくとも一つのウェブページファイル」とは、ともに装置の状態を示す少なくとも一つのデータファイルである点で一致する。
　引用発明の「機器リンクページに基づいて表示される第１のＧＵＩ」は、補正後の発明の「最上位ユーザインタフェース情報に基づく最上位ユーザインタフェース」に相当する。
　引用発明の「機器リンクページに基づいて表示される第１のＧＵＩが、前記ICON.GIFイメージファイルに基づく前記家電機器ボタンを含むように、前記ハイパーテキスト情報は、前記ICON.GIFイメージファイルを指すハイパーテキスト情報を含み」と、補正後の発明の「最上位ユーザインタフェース情報に基づく最上位ユーザインタフェースが前記ウェブページファイルに基づくウェブページを含むように、前記参照情報は前記ウェブページファイルを指す参照情報を含み、」とは、ともに、最上位ユーザインタフェース情報に基づく最上位ユーザインタフェースが前記装置の状態を示す少なくとも一つのデータファイルに基づくウェブデータを含むように、前記参照情報は前記データファイルを指す参照情報を含む点で一致する。
　
　引用発明の「家電機器情報に対応する前記家電機器に対して利用者が命令及び制御するための一つ以上のＨＴＭＬファイル」は、補正後の発明の「装置情報に対応する前記装置とユーザとの相互作用のためのユーザ制御インタフェース情報」に相当する。
　引用発明の「機器リンクページの、各家電機器のトップ・レベル・ホームページのＵＲＬに関連付けられたリンク情報が選択された時」は、補正後の発明の「最上位ユーザインタフェース情報のリンクが活性化された時」に相当する。
　引用発明の「前記家電機器情報に対応する前記家電機器に対して利用者が命令及び制御するための第２のＧＵＩ」は、補正後の発明の「前記装置情報に対応する前記装置とユーザ間のやりとりのための装置ユーザインタフェース」に相当する。
 
 　したがって、引用発明と補正後の発明とは、次の点で一致し、また相違する。 
 　 
（一致点） 
　ネットワークに接続された装置を制御するためのユーザインタフェースを提供する方法において、
　前記ネットワークには、複数の装置が接続され、
　前記複数の装置の少なくとも一つは、最上位ユーザインタフェース情報生成部を有するとともに、当該複数の装置における他の少なくとも一つの装置に対し、
　（ａ）前記最上位ユーザインタフェース情報生成部を使用して、前記ネットワークに接続された一つ以上の装置から装置情報を含む情報を獲得する段階と、
　（ｂ）前記最上位ユーザインタフェース情報生成部を使用して、少なくとも前記獲得された情報に基づき、最上位ユーザインタフェース情報を生成する段階とを少なくとも行い、
　前記最上位ユーザインタフェース情報は前記装置情報に関連付けられたリンク情報を含んでなる参照情報を含んでおり、
　前記装置情報は、前記装置情報に対応する前記装置の状態を示す少なくとも一つのデータファイルを含み、
　前記最上位ユーザインタフェース情報に基づく最上位ユーザインタフェースが前記装置の状態を示す少なくとも一つのデータファイルに基づくウェブデータを含むように、前記参照情報は前記データファイルを指す参照情報を含み、
　前記装置情報に対応する前記装置は、前記装置情報に対応する前記装置とユーザとの相互作用のためのユーザ制御インタフェース情報を有しており、最上位ユーザインタフェース情報のリンクが活性化された時、前記活性化されたリンクを使用して、前記装置情報に対応する前記装置とユーザ間のやりとりのための装置ユーザインタフェースを生成するため、前記ユーザ制御インタフェース情報がアクセスされることを特徴とするユーザインタフェース提供方法。
 　 
（相違点１） 
　「装置の状態を示す少なくとも一つのデータファイル」について、補正後の発明は、「ウェブページファイル」であるのに対して、引用発明は、「ICON.GIFイメージファイル」である点。
　
（相違点２）
　補正後の発明は、「最上位ユーザインタフェース情報に基づく最上位ユーザインタフェースが前記ウェブページファイルに基づくウェブページを含むように、前記参照情報は前記ウェブページファイルを指す参照情報を含」むのに対して、引用発明は、「機器リンクページに基づいて表示される第１のＧＵＩが、前記ICON.GIFイメージファイルに基づく前記家電機器ボタンを含むように、前記ハイパーテキスト情報は、前記ICON.GIFイメージファイルを指すハイパーテキスト情報を含」む点。
　
（４）判断
　相違点１及び相違点２を検討する。 
　当審より通知された拒絶理由に引用された、「Michael Hyman，”How It's Done　第３回「フレームで”でっち上げる”」”，マイクロソフト　インタラクティブ　デベロッパー日本語版，第７巻，株式会社アスキー，１９９８年４月１８日，第７２〜７７頁」（以下、「引用文献２」という。）に、
 　 
「最初は、oct.htmlを更新します。 
 ・・・（中略）・・・ 
 　HTML　 
 FRAMESET　COLS=128.*　 
 　　FRAMESET　ROWS=90,＊　 
 　　　　FRAME　SCR=mapicon.html　marginheight　=0　marginwidth　=0　scrolling　=　no　 
 　　　　FRAME　SCR=maptext.html　 
 　　　　/FRAMESET　 
 　　　　FRAME　SCR=artgall.html　 
 /FRAMESET　 
 NOFRAMES 　 
 This page requires frames to be viewd.(このページはフレームの閲覧を求めます。)　 
 /NOFRAMES　 
 /HTML」（第７４頁左コラム第１０〜第２７行）、及び 
「新しいartgall.htmlは以下のようになります。　 
 HTML　 
 BODY　BACKGROUND=back.gif　 
 H1　align=centerCENTERBlue Rain Gllery/CENTER/H1　 
 p　align=center　 
 CENTERIMG　SRC=room5v7.jpg/CENTER  
 　 
海を見晴らす窓とチョコレートの絵が見えます。右にも左にも曲がれます。
 /P　 
 /BODY　 
 /HTML　 
　結果は、Figure 5のようになります。」（第７４頁右コラム第２９〜第４０行）（なお、「FRAME SCR=」が、「FRAME SRC=」の誤記であることは当業者にとって自明）と記載されているように、HTMLファイル「oct.html」がHTMLファイル「artgall.html」を含むように、前記HTMLファイル「oct.html」が前記HTMLファイル「artgall.html」を指すハイパーテキスト情報を含み、前記HTMLファイル「artgall.html」がイメージファイル「room5v7.jpg」を含む構成にすることで、前記HTMLファイル「oct.html」をブラウザで表示すると、Figure 5のように前記HTMLファイル「artgall.html」によって規定されるウェブページが表示され、前記イメージファイル「room5v7.jpg」が表示されるようなイメージファイル表示手法は、当業者にとって周知技術である。 
　してみると、引用発明の「ICON.GIFイメージファイル」に、前記周知技術を採用することで、ICON.GIFイメージファイルを含むHTMLファイル（すなわち、ウェブページファイル）とし、機器リンクページに基づく第１のＧＵＩが前記ICON.GIFイメージファイルを含むHTMLファイル（すなわち、ウェブページファイル）に基づくウェブページを含むように、前記機器リンクページのハイパーテキスト情報が前記ICON.GIFイメージファイルを含むHTMLファイル（すなわち、ウェブページファイル）を指すハイパーテキスト情報を含む構成とすることは、当業者であれば、容易に想到し得たことである。
　よって、相違点１及び相違点２は格別のものではない。
　
　上記で検討したごとく相違点１及び相違点２は格別のものではなく、そして、補正後の発明の構成によってもたらされる効果も、当業者であれば当然に予測可能なものに過ぎず格別なものとは認められない。 
　以上のように、補正後の発明は、引用発明及び前記周知技術に基いて当業者が容易に想到し得たものであるから、特許出願の際独立して特許を受けることができるものでない。
　
３．むすび
　以上のとおり、補正後の発明は、本願のパリ条約による優先権主張の基礎とされた第一国出願前に日本国内又は外国において、頒布された刊行物に記載された発明又は電気通信回線を通じて公衆に利用可能となった発明に基いて当業者が容易に発明をすることができたものであるから、特許法第２９条第２項の規定に該当し、特許出願の際独立して特許を受けることができるものでなく、平成１８年法律第５５号改正附則第３条第１項によりなお従前の例によるとされる同法による改正前の特許法第１７条の２第５項の規定により準用する特許法第１２６条第５項の規定に適合していない。
　よって、前記補正前の請求項１についてする補正を含む本件補正は、特許法第１５９条第１項において読み替えて準用する同法第５３条第１項の規定により却下すべきものである。
　
第３．本願発明について 
１．本願発明
　平成２２年４月２６日付けの手続補正は上記のとおり却下されたので、本願の請求項１に係る発明（以下、同項記載の発明を「本願発明」という。）は、平成２１年１１月２５日付け手続補正書の特許請求の範囲の請求項１に記載された事項により特定される、以下のとおりのものである。 
　 
　「ネットワークに接続された装置を制御するためのユーザインタフェースを提供する方法において、
　前記ネットワークには、複数の装置が接続され、
　前記複数の装置の少なくとも一つは、最上位ユーザインタフェース情報生成部を有するとともに、当該複数の装置における他の少なくとも一つの装置に対し、
　（ａ）前記最上位ユーザインタフェース情報生成部を使用して、前記ネットワークに接続された一つ以上の装置から装置情報を含む情報を獲得する段階と、
　（ｂ）前記最上位ユーザインタフェース情報生成部を使用して、少なくとも前記獲得された情報に基づき、最上位ユーザインタフェース情報を生成する段階とを少なくとも行い、
　前記最上位ユーザインタフェース情報は前記ネットワークに接続された前記装置の各々の装置情報に関連付けられたリンク情報を含んでなる参照情報を含んでおり、
　前記参照情報は前記最上位ユーザインタフェース情報から前記ネットワークに接続された前記装置に含まれた情報へのアクセスを提供する少なくとも一つのリンク情報を含み、
　前記装置情報は該当装置を示す少なくとも一つのウェブページファイルを含み、
　前記最上位ユーザインタフェース情報に基づく最上位ユーザインタフェースが前記ウェブページファイルに基づくウェブページを含むように、前記参照情報は前記ウェブページファイルを指す参照情報を含み、
　前記それぞれの装置の装置情報は該当装置とユーザとの相互作用のためのユーザ制御インタフェース情報を含んで、最上位ユーザインタフェース情報のリンクが活性化された時、前記活性化されたリンクを使用して、対応装置とユーザ間のやりとりのための装置ユーザインタフェースを生成し、装置情報を獲得するため、前記対応装置のユーザ制御インタフェース情報がアクセスされることを特徴とするユーザインタフェース提供方法。」 
　 
２．引用文献 
　当審より通知された拒絶理由に引用された、引用文献およびその記載事項は、前記「第２．平成２２年４月２６日付けの手続補正についての補正却下の決定」の「２．補正の適否」の「２−２．独立特許要件」の「（２）引用文献」に記載したとおりである。
　
３．対比・判断 
　審判請求人が、平成２２年４月２６日付け意見書で主張するとおり、前記「第２．平成２２年４月２６日付けの手続補正についての補正却下の決定」の「２．補正の適否」の「２−２．独立特許要件」の「（１）補正後の発明」に記載された補正後の発明の発明特定事項「前記装置情報に対応する前記装置」、「前記活性化されたリンクを使用して、前記装置情報に対応する前記装置とユーザ間のやりとりのための装置ユーザインタフェースを生成するため、前記装置情報に対応する前記装置のユーザ制御インタフェース情報がアクセスされる」、「前記装置情報」、及び「前記装置情報に対応する前記装置は、前記装置情報に対応する前記装置とユーザとの」は、それぞれ、本願発明の発明特定事項「該当装置」、「前記活性化されたリンクを使用して、対応装置とユーザ間のやりとりのための装置ユーザインタフェースを生成し、装置情報を獲得するため、前記対応装置のユーザ制御インタフェース情報がアクセスされる」、「前記ネットワークに接続された前記装置の各々の装置情報」、及び「前記それぞれの装置の装置情報は該当装置とユーザとの」を記載内容の同一性を保持しつつ、記載表現をより明りょうにしたものであることからすると、本願発明の発明特定事項「該当装置」、「前記活性化されたリンクを使用して、対応装置とユーザ間のやりとりのための装置ユーザインタフェースを生成し、装置情報を獲得するため、前記対応装置のユーザ制御インタフェース情報がアクセスされる」、「前記ネットワークに接続された前記装置の各々の装置情報」、及び「前記それぞれの装置の装置情報は該当装置とユーザとの」は、それぞれ、補正後の発明の発明特定事項「前記装置情報に対応する前記装置」、「前記活性化されたリンクを使用して、前記装置情報に対応する前記装置とユーザ間のやりとりのための装置ユーザインタフェースを生成するため、前記装置情報に対応する前記装置のユーザ制御インタフェース情報がアクセスされる」、「前記装置情報」、及び「前記装置情報に対応する前記装置は、前記装置情報に対応する前記装置とユーザとの」に相当する。
　審判請求人が、平成２２年４月２６日付け意見書で主張するとおり、本願発明の発明特定事項「前記参照情報は前記最上位ユーザインタフェース情報から前記ネットワークに接続された前記装置に含まれた情報へのアクセスを提供する少なくとも一つのリンク情報を含み」は、本願発明の発明特定事項「前記最上位ユーザインタフェース情報は前記ネットワークに接続された前記装置の各々の装置情報に関連付けられたリンク情報を含んでなる参照情報を含んでおり」と同一事項である。
　審判請求人が、平成２２年４月２６日付け意見書で主張するとおり、本願発明の発明特定事項「装置情報を獲得するため、前記対応装置のユーザ制御インタフェース情報がアクセスされる」は、補正後の発明の発明特定事項「前記ユーザ制御インタフェース情報がアクセスされる」に相当する。
　そして、本願発明の発明特定事項「装置情報は該当装置を示す少なくとも一つのウェブページファイルを含み」は、補正後の発明の発明特定事項「装置情報は、前記装置情報に対応する前記装置の状態を示す少なくとも一つのウェブページファイルを含み」から、「に対応する前記装置の状態」を削除して、上位概念としたものである。
　
　そうすると、本願発明の構成要件を全て含み、さらに特定の構成要件に限定要件を付加したものに相当する補正後の発明が、前記「第２．平成２２年４月２６日付けの手続補正についての補正却下の決定」の「２．補正の適否」の「２−２．独立特許要件」の「（４）判断」に記載したとおり、引用発明及び周知技術に基いて、当業者が容易に発明をすることができたものであるから、本願発明も、同様の理由により、引用発明及び周知技術に基づいて、当業者が容易に発明をすることができたものである。 
　 
４．むすび 
　以上のとおり、本願の請求項１に係る発明は、本願のパリ条約による優先権主張の基礎とされた第一国出願前に日本国内又は外国において、頒布された刊行物に記載された発明又は電気通信回線を通じて公衆に利用可能となった発明に基いて当業者が容易に発明をすることができたものであるから、特許法第２９条第２項の規定により特許を受けることができない。
　よって、結論のとおり審決する。